(57)【要約】【課題】  複数の項目に関する画像処理を一括して行うに際して、画像処理内容をより効率的に設定することが可能な技術を提供する。【解決手段】  複数の項目に関する画像処理を一括して行うに際して、複数の項目のうち少なくとも１つの項目に関する処理内容がそれぞれ規定された複数の設定データＤ１，Ｄ２を指定する。そして、複数の項目のうち複数の設定データＤ１，Ｄ２の相互間で重複して設定されている項目（例えば、リサイズ補正）については、複数の設定データＤ１，Ｄ２のうち複数の設定データ相互間における優先順位が最も高い設定データＤ２で設定された内容を画像処理内容として決定する。【選択図】図１１
2006085259.tif 000002
【特許請求の範囲】
【請求項１】
少なくとも１つの画像に対して複数の項目に関する画像処理を一括して行う画像処理装置であって、
前記複数の項目のうち少なくとも１つの項目に関する処理内容がそれぞれ規定された複数の設定データを、前記少なくとも１つの画像に対する画像処理内容を定める際に用いるデータとして指定する指定手段と、
前記複数の設定データと前記複数の設定データ相互間における優先順位とに基づいて、前記少なくとも１つの画像に対する各項目の画像処理内容を決定する決定手段と、
を備えることを特徴とする画像処理装置。
【請求項２】
請求項１に記載の画像処理装置において、
前記決定手段は、前記複数の項目のうち前記複数の設定データの相互間で重複して設定されている項目については、当該項目に関する処理内容が規定されている設定データのうち前記優先順位が最も高い設定データで設定された内容を、前記少なくとも１つの画像に対する画像処理内容として決定することを特徴とする画像処理装置。
【請求項３】
請求項１または請求項２に記載の画像処理装置において、
前記少なくとも１つの画像は、複数の画像を有することを特徴とする画像処理装置。
【請求項４】
請求項３に記載の画像処理装置において、
前記複数の設定データは、第１の設定データと第２の設定データとを有し、
前記第１の設定データは、前記複数の画像の全てに対する画像処理内容を定める際に用いるデータとして指定され、
前記第２の設定データは、前記複数の画像の一部の画像に対する画像処理内容を定める際に用いるデータとして指定されることを特徴とする画像処理装置。
【請求項５】
少なくとも１つの画像に対して複数の項目に関する画像処理を一括して行う画像処理方法であって、
a)前記複数の項目のうち少なくとも１つの項目に関する処理内容がそれぞれ規定された複数の設定データを、前記少なくとも１つの画像に対する画像処理内容を定める際に用いるデータとして指定する工程と、
b)前記複数の設定データと前記複数の設定データ相互間における優先順位とに基づいて、前記少なくとも１つの画像に対する各項目の画像処理内容を決定する工程と、
を含むことを特徴とする画像処理方法。
【請求項６】
請求項５に記載の画像処理方法において、
前記工程b)において、前記複数の項目のうち前記複数の設定データの相互間で重複して設定されている項目については、当該項目に関する処理内容が規定されている設定データのうち前記優先順位が最も高い設定データで設定された内容を、前記少なくとも１つの画像に対する画像処理内容として決定することを特徴とする画像処理方法。
【請求項７】
コンピュータに、
a)画像処理に関する複数の項目のうち少なくとも１つの項目に関する処理内容がそれぞれ規定された複数の設定データを、少なくとも１つの画像に対する画像処理内容を定める際に用いるデータとして指定する手順と、
b)前記複数の設定データと前記複数の設定データ相互間における優先順位とに基づいて、前記少なくとも１つの画像に対する複数の項目の画像処理内容を決定する手順と、
を実行させるためのプログラム。
【請求項８】
請求項７に記載のプログラムにおいて、
前記手順b)において、前記複数の項目のうち前記複数の設定データの相互間で重複して設定されている項目については、当該項目に関する処理内容が規定されている設定データのうち前記優先順位が最も高い設定データで設定された内容を、前記少なくとも１つの画像に対する画像処理内容として決定することを特徴とするプログラム。
【発明の詳細な説明】
【技術分野】
【０００１】
本発明は、画像処理技術に関し、特に各種の画像処理を一括して行う技術に関する。
【背景技術】
【０００２】
デジタルカメラ等で撮影された画像に対して各種項目の画像処理（カラーバランス補正および明るさ補正処理等の画像処理）を行う画像処理技術が存在する。例えば、パーソナルコンピュータ上で所定の画像処理用プログラムを実行することによって、上記のような画像処理を行うものが存在する。このような技術によれば、より高品質の画像を得ることが可能である。
【０００３】
このような画像処理を行うソフトウエアプログラムの中には、１又は複数の対象画像に対して複数の項目にわたる画像処理を一括して行うバッチ処理機能を有するものが存在する（非特許文献１参照）。このバッチ処理機能においては、複数の項目の処理内容をまとめて実行すべき旨を定めたバッチ処理を規定するファイル（「バッチファイル」とも称する）を用いて、対象画像に関する画像処理内容が設定される。
【０００４】
特に、複数の画像に対して同一内容の処理を行う場合にこのバッチ処理機能を用いることによれば、効率的な処理を行うことが可能である。
【０００５】
【非特許文献１】コニカミノルタフォトイメージング株式会社、”DiMAGE Viewer 使用説明書”、ｐ８０−８１、［online］、［平成１６年８月２５日検索］、インターネット＜ＵＲＬ：http://ca.konicaminolta.jp/cgi-bin/manual.cgi?category=SOFT&product=dv2＞
【発明の開示】
【発明が解決しようとする課題】
【０００６】
しかしながら、上記のバッチ処理機能は、複数の画像の全てに対して同一の処理を実行する場合に利用することができるのみであり、画像ごとに一部でも異なる処理を実行する場合には利用することができない。すなわち、画像処理における複数の項目のうちの一部でも処理内容が異なる場合には、上記のバッチ処理機能を全ての画像に対して適用することができない。
【０００７】
また、１つの画像に対する画像処理を行う場合にも、複数の処理項目のうち一部の項目に関して、或るバッチファイルで指定された設定内容とは異なる内容の処理を行いたいときには、当該バッチファイルを利用した設定処理を行うことができない。
【０００８】
以上のように、複数の項目のうち１つでも設定内容が異なる項目を含む画像処理を行う際には、上記のバッチ処理機能を利用することができないという問題がある。
【０００９】
そこで、この発明の課題は、複数の項目に関する画像処理を一括して行うに際して、その画像処理内容をより効率的に設定することが可能な技術を提供することにある。
【課題を解決するための手段】
【００１０】
上記課題を解決すべく、請求項１の発明は、少なくとも１つの画像に対して複数の項目に関する画像処理を一括して行う画像処理装置であって、前記複数の項目のうち少なくとも１つの項目に関する処理内容がそれぞれ規定された複数の設定データを、前記少なくとも１つの画像に対する画像処理内容を定める際に用いるデータとして指定する指定手段と、前記複数の設定データと前記複数の設定データ相互間における優先順位とに基づいて、前記少なくとも１つの画像に対する各項目の画像処理内容を決定する決定手段とを備えることを特徴とする。
【００１１】
請求項２の発明は、請求項１の発明に係る画像処理装置において、前記決定手段は、前記複数の項目のうち前記複数の設定データの相互間で重複して設定されている項目については、当該項目に関する処理内容が規定されている設定データのうち前記優先順位が最も高い設定データで設定された内容を、前記少なくとも１つの画像に対する画像処理内容として決定することを特徴とする。
【００１２】
請求項３の発明は、請求項１または請求項２の発明に係る画像処理装置において、前記少なくとも１つの画像は、複数の画像を有することを特徴とする。
【００１３】
請求項４の発明は、請求項３の発明に係る画像処理装置において、前記複数の設定データは、第１の設定データと第２の設定データとを有し、前記第１の設定データは、前記複数の画像の全てに対する画像処理内容を定める際に用いるデータとして指定され、前記第２の設定データは、前記複数の画像の一部の画像に対する画像処理内容を定める際に用いるデータとして指定されることを特徴とする。
【００１４】
請求項５の発明は、少なくとも１つの画像に対して複数の項目に関する画像処理を一括して行う画像処理方法であって、a)前記複数の項目のうち少なくとも１つの項目に関する処理内容がそれぞれ規定された複数の設定データを、前記少なくとも１つの画像に対する画像処理内容を定める際に用いるデータとして指定する工程と、b)前記複数の設定データと前記複数の設定データ相互間における優先順位とに基づいて、前記少なくとも１つの画像に対する各項目の画像処理内容を決定する工程とを含むことを特徴とする。
【００１５】
請求項６の発明は、請求項５の発明に係る画像処理方法において、前記工程b)において、前記複数の項目のうち前記複数の設定データの相互間で重複して設定されている項目については、当該項目に関する処理内容が規定されている設定データのうち前記優先順位が最も高い設定データで設定された内容を、前記少なくとも１つの画像に対する画像処理内容として決定することを特徴とする。
【００１６】
請求項７の発明は、コンピュータに、a)画像処理に関する複数の項目のうち少なくとも１つの項目に関する処理内容がそれぞれ規定された複数の設定データを、少なくとも１つの画像に対する画像処理内容を定める際に用いるデータとして指定する手順と、b)前記複数の設定データと前記複数の設定データ相互間における優先順位とに基づいて、前記少なくとも１つの画像に対する複数の項目の画像処理内容を決定する手順とを実行させるためのプログラムであることを特徴とする。
【００１７】
請求項８の発明は、請求項７の発明に係るプログラムにおいて、前記手順b)において、前記複数の項目のうち前記複数の設定データの相互間で重複して設定されている項目については、当該項目に関する処理内容が規定されている設定データのうち前記優先順位が最も高い設定データで設定された内容を、前記少なくとも１つの画像に対する画像処理内容として決定することを特徴とする。
【発明の効果】
【００１８】
請求項１から請求項８に記載の発明によれば、画像処理における複数の項目のうち少なくとも１つの項目に関する処理内容がそれぞれ規定された複数の設定データが指定され、当該複数の設定データと当該複数の設定データ相互間における優先順位とに基づいて各項目の画像処理内容が決定されるので、複数の項目に関する画像処理を一括して行うに際して、画像処理内容をより効率的に設定することが可能である。
【発明を実施するための最良の形態】
【００１９】
以下、本発明の実施形態を図面に基づいて説明する。
【００２０】
＜構成＞
図１は、本発明の実施形態に係る画像処理装置１の概要を示す図である。図１に示すように、画像処理装置１は、コンピュータシステム（以下、単に「コンピュータ」とも称する）として構成される。具体的には、当該コンピュータ（画像処理装置）は、ＣＰＵ２と、記憶部３と、メディアドライブ４と、液晶ディスプレイなどの表示部５と、キーボード６ａおよびマウス６ｂなどの入力部６と、ネットワークカードなどの通信部７とを備えている。記憶部３は、ＲＡＭなどの半導体メモリにより構成される主記憶部３ａとハードディスクドライブ（ＨＤＤ）などの補助記憶部３ｂとを有している。また、メディアドライブ４は、ＣＤ−ＲＯＭ、ＤＶＤ（Digital Versatile Disk）、フレキシブルディスク、メモリカードなどの可搬性の記録媒体９からその中に記録されている情報を読み出すことができる。
【００２１】
画像処理装置１は、記録媒体９に記録されたソフトウエアプログラム（以下、単に「プログラム」とも称する）を読み込み、そのプログラムＰＧをＣＰＵ２等を用いて実行することによって、後述するような各種の機能を実現する。なお、各機能を有するプログラムは、記録媒体９を介して供給される場合に限定されず、ＬＡＮおよびインターネットなどのネットワークを介して、このコンピュータに対して供給されてもよい。
【００２２】
図２は、画像処理装置１における機能ブロックを示す図である。図２に示すように、画像処理装置１は、画像読込部１１と画像処理内容設定部１３と画像処理実行部１５とを備える。
【００２３】
画像読込部１１は、画像処理の対象となる画像のデータを、プログラムＰＧ上で取り扱い可能となるように読み込む機能を有しており、画像処理内容設定部１３は、複数の項目（後述）にわたる画像処理内容を設定データに基づいて設定する機能を有している。各画像に対する複数の項目にわたる画像処理内容は、プログラムＰＧの管理下の記憶領域に記憶される。また、画像処理実行部１５は、画像処理内容設定部１３によって設定された画像処理内容にしたがって各項目に関する画像処理を実際に実行する処理部である。
【００２４】
さらに、或る画像に対する画像処理の内容を設定するために用いるデータとして複数の設定データが指定されると、画像処理内容設定部１３は、複数の設定データと複数の設定データの相互間における優先順位とを参照して、各項目に関する画像処理内容を決定することができる。
【００２５】
以下では、このような処理についてさらに詳細に説明する。
【００２６】
＜動作＞
図３は、画像処理装置１における処理を示すフローチャートである。
【００２７】
ここでは、図３などを用いて、複数（４つ）の画像ＰＡ〜ＰＤに対する画像処理の内容が共通設定モードと個別設定モードとの２種類の設定モードを用いて決定され、当該決定された処理内容で画像ＰＡ〜ＰＤに対する画像処理が一括的に行われる場合について説明する（図９も参照）。共通設定モードは、複数の画像に対して施すべき共通の画像処理内容を設定するモードであり、個別設定モードは、画像処理内容を画像ごとに（個別に）設定するモードである。
【００２８】
より詳細には、共通設定モードによって、画像ＰＡ〜ＰＤの全てに共通する画像処理内容を設定するとともに、個別設定モードによって４つの画像のうち２つの画像ＰＢ，ＰＤに対してそれぞれ個別の処理内容を設定する場合について例示する。また、この実施形態においては、個別設定モードによる設定内容が共通設定モードによる設定内容よりも優先順位が高いものとする。すなわち、共通設定モードと個別設定モードとの間で重複して設定されている項目については、個別設定モードによる設定内容が優先されて、個別設定モードによる設定内容が当該項目に関する処理内容として決定されるものとする。
【００２９】
なお、ここでは、説明の都合上、（１）個別設定モードによる設定操作を行った後に（２）共通設定モードによる設定操作を行う場合について説明するが、これに限定されず、逆に、（２）共通設定モードによる設定操作を行った後に、（１）個別設定モードによる設定操作を行うようにしてもよい。
【００３０】
まず、（１）個別設定モードによる設定操作（ステップＳ１１）について説明する。
【００３１】
図４は、プログラムＰＧ実行時の操作画面２０を示す図である。
【００３２】
操作画面２０は、複数の領域Ｒ１〜Ｒ４を有している。領域Ｒ１はフォルダツリーを示す領域であり、領域Ｒ２は一覧表示領域である。また、領域Ｒ３はプレビュー領域であり、領域Ｒ４は情報表示領域である。
【００３３】
操作者がマウス操作等によって所定のフォルダを領域Ｒ１内で指定すると、指定されたフォルダ内の各画像がそのファイル名が併記された態様で領域Ｒ２内にサムネイル表示される。なお、これに限定されず、ファイル名のみが列挙されるようにしてもよい。
【００３４】
領域Ｒ２内に表示された複数の画像（ここでは画像Ｐ１〜Ｐ９）の中から所望の画像がマウス操作（詳細にはワンクリック操作）によって選択されると、選択された画像（被選択画像）のプレビュー画面が領域Ｒ３に表示され、当該被選択画像の各種の情報（例えば、タグ情報等）が領域Ｒ４に表示される。
【００３５】
このような各領域Ｒ１〜Ｒ４の表示を参照しつつ、操作者は、画像処理の対象としたい画像ＰＢ（例えば画像Ｐ１）を選択する。具体的には、領域Ｒ２内に表示された画像の中から操作者がシングルクリック操作によって所望の画像ＰＢを被選択状態としつつ、操作画面２０上部の個別設定ボタン２１を押下する。画像処理装置１は、この操作に応答して、画像処理に関する個別設定の対象として当該画像ＰＢ（例えば画像Ｐ１）が選択されたことを認識し、新たなウインドウを生成し表示部５に操作画面３０（図５参照）を表示する。
【００３６】
図５は、画像処理の内容を指定して実行させるための操作画面３０を示す図である。図５に示すように、操作画面３０は、画像処理についての複数の項目を列挙する項目表示領域Ｒ５と、対象画像を表示する画像表示領域Ｒ６と、対象画像の詳細情報（タグ情報等）を表示する情報表示領域Ｒ７とを備えている。
【００３７】
図６は、項目表示領域Ｒ５に表示される複数の項目を示す図である。図６に示されるように、ここでは、画像処理の項目として、トーンカーブ補正と、ヒストグラム補正と、カラーバランス補正と、明るさ補正と、コントラスト補正と、リサイズ補正とが列挙されている。
【００３８】
図５の操作画面３０において、領域Ｒ５内の所定の項目がマウス操作（詳細にはダブルクリック）によって選択されると、その項目についてのさらに詳細な設定用ダイアログが表示される。たとえば、「明るさ補正」が選択されると、図７のような設定用ダイアログ４０が表示される。操作者は、設定用ダイアログ４０内のスライダ４１をマウス操作で左右に移動させることによって、明るさ補正のパラメータを−１００と＋１００との間の任意の値に設定することが可能である。
【００３９】
その他の項目についても同様であり、各項目ごとの補正用パラメータを適宜に設定することができる。操作者は、複数の項目のそれぞれについて同様の操作を逐次行うことによって、複数の項目についての画像処理内容を設定して、複数の項目についての画像処理内容を設定する。操作者は、所望の各項目に関する画像処理内容の設定操作を全て終了すると、クローズボタン３３を押下して操作画面３０を閉じる。なお、画像ＰＢに対する画像処理内容は、当該プログラムＰＧが終了されるまでプログラムＰＧの管理下において記憶部３内に記憶される。
【００４０】
以上のようにして、画像ＰＢについての個別設定モードによる設定操作が終了する。このような設定操作に応じて、画像ＰＢに対する個別設定の内容を規定した設定データ（例えば、図１０の設定データＤ２）が生成される。なお、設定データＤ２は、トーンカーブ補正を「ＣＵＲＶＥ＿β」の名称が付されたパラメータで行い、カラーバランス補正を「ＲＧ＋１０」に対応するパラメータで行い、リサイズ補正を「ＱＶＧＡ」に対応するパラメータで行うことを規定するデータである。ここで、「ＲＧ＋１０」は、Ｒ（レッド）成分とＧ（グリーン）成分とをそれぞれ「１０」段階（例えば１０％）増加させる補正を意味し、「ＱＶＧＡ」は、画像のサイズをＱＶＧＡサイズ（３２０×２４０画素）に変換する補正を意味する。また、設定データＤ２には、ヒストグラム補正、明るさ補正およびコントラスト補正に関する内容は設定されていない。
【００４１】
また、同様にして、画像ＰＤについての個別設定モードによる設定操作を行うことが可能である。そして、そのような設定操作に応じて、画像ＰＤに対する個別設定の内容を規定した設定データ（例えば、設定データＤ４）が生成される。なお、設定データＤ４は、トーンカーブ補正を「ＣＵＲＶＥ＿θ」の名称が付されたパラメータで行い、明るさ補正を「−１５」に対応するパラメータで行い、コントラスト補正を「＋１０」に対応するパラメータで行うことを規定するデータである。また、設定データＤ４には、ヒストグラム補正、カラーバランス補正およびリサイズ補正に関する内容は設定されていない。
【００４２】
以上のようにして、個別設定モードによる設定操作が行われる。
【００４３】
ところで、この画像処理装置１においては、上記の個別設定操作による設定結果（設定内容）が規定された設定データを、ジョブファイルとして格納しておくことができる。具体的には、上記と同様にして、或る画像ＰＺに対する画像処理内容を設定する操作が行われた後、ジョブ登録ボタン３２が押下されると、ファイル保存のためのダイアログ（不図示）が表示部５に表示される。操作者は、このダイアログを用いて、画像ＰＺに対する画像処理内容の設定結果を、所望のファイル名のジョブファイルとして登録すべき旨を指示する。画像処理装置１は、操作者によって指定されたファイル名を有するジョブファイルを生成し、画像ＰＺに対する画像処理内容が規定された設定データを当該ジョブファイルとして保存する。後述するように、このようにして登録されたジョブファイルは、共通設定モードにおける画像処理内容の設定操作に利用される。
【００４４】
次に、（２）共通設定モードによる設定操作（図３、ステップＳ１２）について説明する。
【００４５】
操作者は、図４の操作画面２０において、処理対象とすべき４つの画像ＰＡ〜ＰＤ（サムネイル）をマウス操作等によって被選択状態とした上で、操作画面２０上部の共通設定ボタン２２を押下する。
【００４６】
画像処理装置１は、この操作に応答して、画像処理に関する共通設定を行うための新たなダイアログを生成し表示部５に操作画面５０（図８参照）を表示する。
【００４７】
図８は、共通設定用の設定データを指定する操作画面５０を示す図である。図８に示すように、操作画面７０は、設定データを指定するためのファイル名入力領域５１と、当該設定データを予め記憶されたデータファイルの中から選択する選択ボタン５２と、キャンセルボタン５３と、ＯＫボタン５４とを有している。
【００４８】
具体的には、操作者によって選択ボタン５２が押下されると、画像処理装置１は、ファイルを開くためのダイアログ（不図示）を表示部５に表示する。操作者は、このダイアログを用いて、共通設定に用いるべきジョブファイルをマウス操作によって選択することができる。ここでは、上述したような画像ＰＺ等に関する複数のジョブファイルが予め登録されているものとし、その中から設定データＤ１を規定したジョブファイルが選択されたものとする。
【００４９】
この選択操作に応答して、画像処理装置１は、当該ダイアログを閉じるとともに、操作者によって指定されたジョブファイルを読み出し、そのファイル名を操作画面５０のファイル名入力領域５１に表示する。操作者によってＯＫボタン５４が押下されると、画像処理装置１は、操作画面５０を閉じる。
【００５０】
つぎに、操作者は、画像処理を開始させるため開始ボタン２３（図４）を押下する。
【００５１】
画像処理装置１は、開始ボタン２３の押下による画像処理開始指示を受け付ける（図３、ステップＳ１３）と、次のステップＳ１４〜Ｓ１９の処理を４つの画像ＰＡ〜ＰＤについて繰り返す。これによって、各画像ＰＡ〜ＰＤに対する画像処理内容が決定されるとともに、当該決定された画像処理内容に従って画像処理が実行される。
【００５２】
詳細には、ｉ番目の画像（まず最初の画像ＰＡ）について、個別設定データにおける各処理項目の設定内容を取得（ステップＳ１４）し、共通設定データにおける各処理項目の設定内容を取得する（ステップＳ１５）。そして、個別設定データにおける設定内容を優先して、ｉ番目の画像についての各処理項目の設定内容を決定する（ステップＳ１６）。
【００５３】
さらに、ステップＳ１６で決定された設定内容で、ｉ番目の画像に対する画像処理を行う（ステップＳ１７）。その後、ｉをインクリメントし（ステップＳ１８）、全画像に関する画像処理が終了したか否かを判定する（ステップＳ１９）。このような動作（ステップＳ１４〜Ｓ１９）を複数回（ここでは４回）繰り返すことによって、処理対象となる複数の画像の全てに対する画像処理が終了する。
【００５４】
図９〜図１２は、画像処理内容の決定処理について説明する図である。以下では、これらの図を参照しながら、各項目の画像処理内容の決定動作（ステップＳ１６）についてさらに詳細に説明する。
【００５５】
図９は、各画像ＰＡ〜ＰＤに対する設定内容の概要を示す図である。図９においては、共通設定モードにおいて、複数の画像ＰＡ〜ＰＤの全てに対する画像処理内容を定める際に用いるデータとして設定データＤ１が設定され、且つ、個別設定モードにおいて、複数の画像ＰＡ〜ＰＤの一部の画像ＰＢ，ＰＤに対する画像処理内容を定める際に用いるデータとして設定データＤ２，Ｄ４が設定された状態が示されている。
【００５６】
画像処理装置１は、複数の設定データＤ１，Ｄ２相互間の優先順位に基づいて各画像ＰＡ〜ＰＤに対する複数の項目の画像処理内容を決定する。
【００５７】
まず、画像ＰＡ，ＰＣに対しては、共通の設定データＤ１のみが設定されているので、当該設定データＤ１による同一内容の画像処理を行うべき旨が決定される。ここで、設定データＤ１は、トーンカーブ補正を「ＣＵＲＶＥ＿α」の名称が付されたパラメータで行い、明るさ補正を「＋３０」に対応するパラメータで行い、リサイズ補正を「ＶＧＡ」に対応するパラメータで行うことを規定するデータである（図１０参照）。したがって、画像ＰＡ，ＰＣのいずれに対しても、設定データＤ１によるこのような内容がそのまま画像処理内容として決定される。
【００５８】
また、画像ＰＢに対しては、共通の設定データＤ１だけでなく個別の設定データＤ２も設定されている。画像処理装置１は、設定データＤ２の内容を優先しつつ設定データＤ１と設定データＤ２とを合成して、各項目に関する処理内容を決定する。
【００５９】
図１１は、このような優先順位に基づく画像処理内容の決定処理を説明する図である。この画像処理装置１においては、共通設定による設定データＤ１と個別設定による設定データＤ２との間では、個別設定による設定データＤ２の方が比較的高い優先順位を有するものとして規定されている。
【００６０】
複数の項目のうち複数の設定データＤ１，Ｄ２の相互間で重複して設定されている項目（具体的には、トーンカーブ補正およびリサイズ補正）については、複数の設定データＤ１，Ｄ２のうち複数の設定データ相互間における優先順位が最も高い設定データＤ２で設定された内容が画像処理内容として決定される。すなわち、他方の設定データＤ１の内容は無視される。具体的には、トーンカーブ補正に関しては、設定データＤ２の内容である「ＣＵＲＶＥ＿β」が採用され、リサイズ補正に関しては、設定データＤ２の内容である「ＱＶＧＡ」が採用される。
【００６１】
複数の項目のうち、設定データＤ２において処理内容が指定されておらず設定データＤ１のみで処理内容が指定されている項目に関しては、設定データＤ１の処理内容が画像処理内容として決定される。具体的には、明るさ補正に関しては、設定データＤ１の内容である「＋３０」が採用される。
【００６２】
複数の項目のうち、設定データＤ１において処理内容が指定されておらず設定データＤ２のみで処理内容が指定されている項目に関しては、設定データＤ２の処理内容が画像処理内容として決定される。具体的には、カラーバランス補正に関しては、設定データＤ２の内容である「ＲＧ＋１０」が採用される。
【００６３】
複数の項目のうち、２つの設定データＤ１，Ｄ２のいずれにおいても処理内容が指定されていない項目に関しては画像処理が行われない。具体的には、ヒストグラム補正およびコントラスト補正の各項目に関する画像処理は行われない。
【００６４】
このようにして画像ＰＢに関する画像処理内容が決定される。
【００６５】
また、画像ＰＤに対しては、共通の設定データＤ１だけでなく個別の設定データＤ４も設定されている（図９参照）。画像処理装置１は、設定データＤ４の内容を優先しつつ設定データＤ１と設定データＤ４とを合成して、各項目に関する処理内容を決定する。
【００６６】
図１２は、このような優先順位に基づく画像処理内容の決定処理を説明する図である。
【００６７】
複数の設定データＤ１，Ｄ４の相互間で重複して設定されている項目については、複数の設定データＤ１，Ｄ４相互間における優先順位が最も高い設定データＤ４で設定された内容が画像処理内容として決定される。具体的には、トーンカーブ補正に関しては、設定データＤ４の内容である「ＣＵＲＶＥ＿θ」が採用され、明るさ補正に関しては、設定データＤ４の内容である「−１５」が採用される。
【００６８】
設定データＤ４において処理内容が指定されておらず設定データＤ１のみで処理内容が指定されている項目に関しては、設定データＤ１の処理内容が画像処理内容として決定される。具体的には、リサイズ補正に関しては、設定データＤ１の内容である「ＶＧＡ」が採用される。
【００６９】
設定データＤ１において処理内容が指定されておらず設定データＤ４のみで処理内容が指定されている項目に関しては、設定データＤ４の処理内容が画像処理内容として決定される。具体的には、コントラスト補正に関しては、設定データＤ４の内容である「＋１０」が採用される。
【００７０】
２つの設定データＤ１，Ｄ４のいずれにおいても処理内容が指定されていない項目に関しては画像処理が行われない。具体的には、ヒストグラム補正およびカラーバランス補正の各項目に関する画像処理は行われない。
【００７１】
このようにして、複数の設定データＤ１，Ｄ２相互間の優先順位に基づいて、各画像ＰＡ〜ＰＤに対する複数の項目の画像処理内容が決定される。
【００７２】
以上のように、この画像処理装置１によれば、複数の項目に関する画像処理を一括して行うに際して、共通設定データＤ１と個別設定データＤ２，Ｄ４とを両者の優先順位に基づいて合成することによって、各項目に関する画像処理内容を決定することができる。したがって、原則的な画像処理内容を共通設定データとして定めておき、さらに付加的（あるいは例外的な）画像処理内容を個別設定データとして定めることによって、画像処理内容を効率的に設定することが可能である。
【００７３】
特に、上記の処理においては、４つの画像ＰＡ〜ＰＤに対する画像処理内容の設定に際して、４つの画像ＰＡ〜ＰＤの全てに対する画像処理内容を定める際に用いるデータとして共通設定データＤ１が指定され、４つの画像ＰＡ〜ＰＤの一部の画像ＰＢ（，ＰＤ）に対する画像処理内容を定める際に用いるデータとして個別設定データＤ２（，Ｄ４）が指定されている。したがって、共通設定データＤ１を利用して複数の画像に関する原則的な処理内容を設定しつつ、個別設定データＤ２（，Ｄ４）を用いて付加的な内容を各画像データごとに個別に設定することができるので、非常に効率的な設定が可能である。
【００７４】
＜変形例＞
上記実施形態においては、複数の画像の全てに対する画像処理内容を定める際に用いるデータとして共通設定データＤ１を指定し且つ複数の画像の一部の画像に対する画像処理内容を定める際に用いるデータとして設定データＤ２，Ｄ４を指定し、共通設定データと個別設定データとの組合せに基づいて各項目に関する画像処理内容を決定する場合について例示したが、これに限定されない。例えば、或る共通設定データ（第１の共通データ）と別の共通設定データ（第２の共通データ）との組合せに基づいて、画像処理内容を決定するようにしてもよい。より詳細には、複数の画像の一部の画像に対する画像処理内容を定める際に用いるデータとして、上記の個別設定データに代えて第２の共通設定データを指定するとともに、第１の共通設定データと第２の共通設定データとの間での優先順位を指定し、当該優先順位が高い設定データを優先させて、各項目に関する画像処理内容を決定すればよい。
【００７５】
また、上記実施形態においては、２つの設定データの組合せに基づいて各項目に関する画像処理内容を決定する場合について例示したが、これに限定されず、３つ以上の設定データの組合せに基づいて各項目に関する画像処理内容を決定するようにしてもよい。例えば、３つの設定データ相互間での優先順位を設定するとともに、当該優先順位を参照しつつ、各項目に関する画像処理内容を３つの設定データに基づいて決定すればよい。
【００７６】
図１３は、このような変形例を説明する図である。ここでは、共通設定データＤ１，Ｄ３と個別設定データＤ２，Ｄ４とを用いて、８つの画像ＰＡ〜ＰＨに対する画像処理内容を設定する場合が例示されている。
【００７７】
図１３においては、共通設定データＤ１が８つの画像ＰＡ〜ＰＨに対して指定され、共通設定データＤ３が３つの画像ＰＡ〜ＰＣに対して指定され、個別設定データＤ２が画像ＰＢに対して指定され、個別設定データＤ４が画像ＰＤに対して指定されている。
【００７８】
このような指定が行われた場合には、複数の設定データ相互間における優先順位に基づいて、画像処理内容を定めればよい。なお、「優先順位」は、各画像に共通であり且つ各処理項目に共通の、包括的な順位である。
【００７９】
具体的には、画像ＰＡ，ＰＣに関しては、比較的優先順位が高い設定データＤ３の処理内容を優先させて設定データＤ１と設定データＤ３とを合成し、各項目に関する処理内容を決定する。
【００８０】
また、画像ＰＢに関しては、最も優先順位が高い設定データＤ２の処理内容を最優先させ、続いて設定データＤ３，Ｄ１の処理内容をこの順序で優先させて、３つの設定データＤ２，Ｄ３，Ｄ１を合成し、各項目に関する処理内容を決定する。
【００８１】
なお、図１４には、３つの設定データＤ２，Ｄ３，Ｄ１とこれら３つの設定データ相互間における優先順位とに基づいて決定された各項目の処理内容が示されている。画像処理装置１は、各項目に関する処理内容が規定されている設定データのうち、複数の設定データ相互間における優先順位が最も高い設定データで設定された内容を、各画像に対する画像処理内容として決定する。例えば、画像ＰＢの「リサイズ補正」については、当該項目「リサイズ補正」に関する処理内容が規定されている設定データＤ１，Ｄ２のうち、複数の設定データ相互間における優先順位が最も高い設定データＤ２で設定された内容を、画像ＰＢに対する画像処理内容として決定する。
【００８２】
また、画像ＰＤに関しては、比較的優先順位が高い設定データＤ４の処理内容を優先させて設定データＤ１と設定データＤ４とを合成し、各項目に関する処理内容を決定する（図１３参照）。さらに、画像ＰＥ〜ＰＨに関しては、設定データＤ１に基づいて各項目に関する処理内容を決定する。
【００８３】
このような設定によれば、例えば、比較的多数の画像に共通して適用される共通設定データＤ１と、比較的少数の画像に共通して適用される共通設定データＤ３と、個別的な設定データＤ２，Ｄ４とを適宜に利用して、各画像に対する複数の項目の画像処理内容を効率的に設定することができる。特に、図１４に示されるように、画像ＰＢの「コントラスト補正」に関しては設定データＤ３の内容が設定されることになる。図１１と比較すると判るように、図１４においては、設定データＤ１，Ｄ２の設定内容をベースにした設定が行われるとともに、設定データＤ３における設定内容も反映されていることが示されている。
【００８４】
さらに、上記実施形態においては、複数の画像に対する画像処理の内容を定める場合について例示したが、これに限定されない。たとえば、１つの画像に対する画像処理の内容を定める場合にも上記の思想を適用することができる。具体的には、１つの画像ＰＡの画像を定めるに際して、２つの設定データＤ１，Ｄ２の両方を、当該画像ＰＡに対する画像処理の内容を定める際に用いるデータとして指定し、２つの設定データＤ１，Ｄ２の優先順位に基づいて、上記と同様にして各項目の処理内容を決定するようにすればよい。これによれば、或る設定データ（例えば設定データＤ１）をベースにして各項目の画像処理内容を定め、さらに別の設定データ（例えば設定データＤ２）によって一部の項目の画像処理内容を修正することあるいは追加することなどが可能になる。
【図面の簡単な説明】
【００８５】
【図１】画像処理装置の概略構成を示す図である。
【図２】画像処理装置における機能ブロックを示す図である。
【図３】画像処理装置における処理を示すフローチャートである。
【図４】プログラム実行時の操作画面を示す図である。
【図５】画像処理内容を個別的に設定するための操作画面を示す図である。
【図６】項目表示領域Ｒ５に表示される複数の項目を示す図である。
【図７】明るさ補正に関する設定用ダイアログを示す図である。
【図８】共通の画像処理内容を設定するための操作画面を示す図である。
【図９】各画像に対する設定内容の概要を示す図である。
【図１０】各設定データにおける設定内容を示す図である。
【図１１】優先順位に基づく画像処理内容の決定処理を説明する図である。
【図１２】優先順位に基づく画像処理内容の決定処理を説明する図である。
【図１３】変形例に係る設定内容の概要を示す図である。
【図１４】変形例に係る項目ごとの設定内容を示す図である。
【符号の説明】
【００８６】
１  画像処理装置
３  記憶部
４  メディアドライブ
５  表示部
９  記録媒体
２０，３０，５０，７０  操作画面
２１  個別設定ボタン
２２  共通設定ボタン
２３  開始ボタン
３２  ジョブ登録ボタン
Ｄ１〜Ｄ４  設定データ
ＰＡ〜ＰＤ，Ｐ１〜Ｐ９  各画像
【図１】
2006085259.tif 000003
【図２】
2006085259.tif 000004
【図３】
2006085259.tif 000005
【図４】
2006085259.tif 000006
【図５】
2006085259.tif 000007
【図６】
2006085259.tif 000008
【図７】
2006085259.tif 000009
【図８】
2006085259.tif 000010
【図９】
2006085259.tif 000011
【図１０】
2006085259.tif 000012
【図１１】
2006085259.tif 000013
【図１２】
2006085259.tif 000014
【図１３】
2006085259.tif 000015
【図１４】
2006085259.tif 000016